(57)【要約】【課題】金型の交換作業を容易に行なえるようにした射出成形機を提供する。【解決手段】固定金型６が装着される固定ダイプレート７と、可動金型４が装着される移動ダイプレート５と、移動ダイプレート５を進退させることにより、固定金型６に対し可動金型４を型開閉する型締駆動機構８と、型閉された金型のキャビティに溶融樹脂を射出する射出ユニット２と、を備えた射出成形機１であって、射出成形機１の各種動作の表示を行う表示装置２０の設けられた正面側、又は、該表示装置２０の設けられていない背面側であって、固定ダイプレート７と移動ダイプレート５との間の型締領域の近傍に、金型２１を吊り上げ可能な金型用吊り装置９を備える。【選択図】図１
2015150834.tif 000002
【特許請求の範囲】
【請求項１】
固定金型が装着される固定ダイプレートと、前記固定金型と型開閉される可動金型が装着される移動ダイプレートと、該移動ダイプレートを進退させることにより、前記固定金型に対し前記可動金型を型開閉する型締駆動機構と、型閉された金型のキャビティに溶融樹脂を射出する射出ユニットと、を備えた射出成形機であって、
該射出成形機の各種動作の表示を行う表示装置の設けられた正面側、又は、該表示装置の設けられていない背面側であって、前記固定ダイプレートと前記移動ダイプレートとの間の型締領域の近傍に、金型を吊り上げ可能な金型用吊り装置を備えたことを特徴とする射出成形機。
【請求項２】
前記固定金型が装着される前記固定ダイプレートと、前記移動金型が装着される移動ダイプレートと、前記固定金型に対し前記可動金型を型開閉する前記型締駆動機構と、を備えた型締ユニットのその下方に支持フレームを設け、前記型締ユニットを支持する前記支持フレームに前記金型用吊り装置を固定したことを特徴とする請求項１に記載の射出成形機。
【請求項３】
前記金型用吊り装置は、軸心方向を鉛直方向とする回転フレームと、該回転フレームの上部に一端が固定され、前記回転フレームの回転より、水平方向に旋回する旋回フレームと、により逆Ｌ字型に形成されており、
前記旋回フレームには、該旋回フレームの長手方向に移動可能なチェーンブロックを備え、該チェーンブロックの先端に、金型を吊り上げ可能なフックを備えたことを特徴とする請求項２に記載の射出成形機。
【請求項４】
前記回転フレームを回転自在に支持する軸受を備えると共に、前記旋回フレームを旋回するときに回転される前記回転フレームの回転範囲を規制する回転規制手段を備えることを特徴とする請求項３に記載の射出成形機。
【発明の詳細な説明】
【技術分野】
【０００１】
本発明は、金型を運搬等するときに用いられる吊り構造を備えた射出成形機に関する。
【背景技術】
【０００２】
従来から用いられている一般的な射出成形機は、大別すると、型締ユニット及び射出ユニットから構成されている。型締ユニットには、固定金型が装着される固定ダイプレートと、可動金型が装着されている移動ダイプレートとが備えられており、固定金型に対する可動金型の型開閉は、可動金型が装着された移動ダイプレートが、トグルリンク機構等からなる型開閉機構により進退されることで行われる。
【０００３】
また、射出ユニットは、駆動源たるモータの駆動力を、プーリやベルトなどを介して、回転運動を直線運動に変換するボールネジ機構に伝達させ、当該ボールネジ機構に伝達された駆動力により、加熱シリンダ内に設けられたスクリュを作動させることで、射出ノズル先端より型締された金型のキャビティへ溶融樹脂の射出が行われる。
【０００４】
上述した従来技術に関連するものとして、特許文献１には、型締ユニット及び射出ユニットを備えた射出成形機が開示されている。
【先行技術文献】
【特許文献】
【０００５】
【特許文献１】特開２０１１−０６２９２８号公報
【発明の概要】
【発明が解決しようとする課題】
【０００６】
しかし、特許文献１で開示されているような従来の一般的な射出成形機は、金型用の吊上構造が備えられていないため、射出成形機とは別体に設けられたクレーン等を用いて金型の交換作業が行われることになる。金型の交換作業が行われるときに、射出成形機とは別体のクレーンを用いる場合には、クレーンの動作範囲に見合った比較的広いスペースが必要となる。また、製品となり得る成形体が少量生産向けであって、サイズが小型である場合には、型締力の小さい小型の射出成形機が採用されるのが一般的であるが、こうした小型の射出成形機は、そのサイズに対応にして、比較的狭い屋内に設置されることが多く、こうした狭い屋内にあっては、汎用機器であるクレーンを設置することが困難な場合があり、金型の交換作業に煩雑な作業を要してしまうといった実情があった。
【０００７】
本発明は上記課題に鑑みてなされたものであり、その目的は、金型の交換作業を容易に行なえるようにした射出成形機を提供することである。
【課題を解決するための手段】
【０００８】
本射出成形機に係る発明は、
固定金型が装着される固定ダイプレートと、前記固定金型と型開閉される可動金型が装着される移動ダイプレートと、該移動ダイプレートを進退させることにより、前記固定金型に対し前記可動金型を型開閉する型締駆動機構と、型閉された金型のキャビティに溶融樹脂を射出する射出ユニットと、を備えた射出成形機であって、
該射出成形機の各種動作の表示を行う表示装置の設けられた正面側、又は、該表示装置の設けられていない背面側であって、前記固定ダイプレートと前記移動ダイプレートとの間の型締領域の近傍に、金型を吊り上げ可能な金型用吊り装置を備えたことを特徴とする。
【０００９】
本射出成形機に係る発明は、
前記固定金型が装着される前記固定ダイプレートと、前記移動金型が装着される移動ダイプレートと、前記固定金型に対し前記可動金型を型開閉する前記型締駆動機構と、を備えた型締ユニットのその下方に支持フレームを設け、前記型締ユニットを支持する前記支持フレームに前記金型用吊り装置を固定したことを特徴とする。
【００１０】
本射出成形機に係る発明は、
前記金型用吊り装置は、軸心方向を鉛直方向とする回転フレームと、該回転フレームの上部に一端が固定され、前記回転フレームの回転より、水平方向に旋回する旋回フレームと、により逆Ｌ字型に形成されており、
前記旋回フレームには、該旋回フレームの長手方向に移動可能なチェーンブロックを備え、該チェーンブロックの先端に、前記可動金型及び前記固定金型の各々を吊り上げ可能なフックを備えたことを特徴とする。
【００１１】
本射出成形機に係る発明は、
前記回転フレームを回転自在に支持する軸受を備えると共に、前記旋回フレームを旋回するときに回転される前記回転フレームの回転範囲を規制する回転規制手段を備えることを特徴とする。
【発明の効果】
【００１２】
本射出成形機に係る発明によれば、固定金型と可動金型とは比較的強力な力で型締されるため、これらが装着される固定ダイプレートと移動ダイプレートとの間の型締領域及びその近傍というのは、強固な構造を有している。よって、可動金型と固定金型とからなる金型を吊り上げ可能な金型用吊り装置は、型締領域の近傍に設けるのに適しており、当該金型用吊り装置を用いて、金型を吊り上げて、移動ダイプレートに対する可動金型の着脱作業や固定ダイプレートに対する固定金型の着脱作業を容易に行うことができるから、金型の着脱作業性を向上することができる。
【００１３】
さらに、金型用吊り装置は、型締ユニットよりも下方に位置する支持フレームに固定されていることから、射出成形機全体の低重心化を図ることが可能となり、金型用吊り装置により金型が吊り上げ等されるときの射出成形機の姿勢の安定性を高めることができる。
【００１４】
さらに、金型用吊り装置は、回転フレームと旋回フレームとにより逆Ｌ時型に形成されており、こうした形状により、金型を片持ち状に吊り上げることから、当該金型用吊り装置に構成される回転フレーム等が邪魔になることなく、金型の着脱作業を容易に行なうことが可能となる。
【００１５】
さらに、回転フレームは軸受により支持されていることから、回転フレームの回転に伴い旋回される旋回フレームは、スムーズに旋回させることができるため、作業性を向上することができる。その一方で、該旋回フレームが勢いよく旋回してしまい、吊り上げられた金型が、周囲の部材に接触して破損等しないよう、回転規制手段により、所望する旋回範囲を超えるところまで、不用意に旋回フレームが旋回してしまうことがないよう防止し、金型の着脱作業をより容易に行なうことが可能となる。
【図面の簡単な説明】
【００１６】
【図１】本発明の一例の射出成形機の概略構成を示す平面図であり、当該図１では、射出成形機の正面側を下方に、背面側を上方に示している。
【図２】本発明の一例の射出成形機の概略構成を示す左側面図である。
【発明を実施するための形態】
【００１７】
以下、本発明を実施するための実施形態を図１及び図２により以下に説明する。もちろん、本発明は、その発明の趣旨に反しない範囲で、実施形態において説明した以外の構成のものに対しても容易に適用可能なことは説明を要するまでもない。
【００１８】
本実施形態の射出成形機１は大別すると、射出ユニット２と型締ユニット３とから構成される。型締ユニット３には、可動金型４が装着された移動ダイプレート５、固定金型６が装着された固定ダイプレート７、固定ダイプレート７に対し移動ダイプレート５を進退させ、固定金型６に対して可動金型４の型開閉を行う、図示しないトグルリンク機構等からなる型締駆動機構８を備える。
【００１９】
また、射出成形機１には、固定ダイプレート７と移動ダイプレート５との間に位置する型締領域の近傍に、固定ダイプレート７に固定金型６を着脱するときや、移動ダイプレート５に可動金型４を着脱するときに、金型２１（固定金型６及び可動金型４）を吊り上げる金型用吊り装置９が設けられている。当該金型用吊り装置９は、射出成形機１の各種動作の表示を行なったり操作を行うことが可能な、表示装置２０の設けられている射出成形機１の正面側に配置されている。
【００２０】
射出成形機１の正面側に設けられた金型用吊り装置９は、一端に操作バー１０ａの設けられた円柱状の回転フレーム１０と、角柱状の旋回フレーム１１と、回転フレーム１０の下方を、軸受１２を介して回転自在に支持する連結フレーム１３とが構成されており、軸心方向を鉛直方向とする縦方向に設けられた回転フレーム１０の上部に、水平に配置された角柱状の旋回フレーム１１の一端が固定されていることで逆Ｌ字型の形状となっている。
【００２１】
回転フレーム１０と型締ユニット３等を支持する支持フレーム１４とを一体に連結する２つの連結フレーム１３は、支持フレーム１４よりも外側へ突出するようにして、長手方向が水平方向になるようにして平行に設けられており、２つのうちの下方の連結フレーム１３の下部には、高さ調整式の脚部１５を有し、それにより、金型用吊り装置９で金型２１（可動金型４及び固定金型６）を吊り上げたときの射出成形機の姿勢を安定させることができる。
【００２２】
また、軸受１２が設けられた上方の連結フレーム１３には、回転フレーム１０の周方向に沿うようにして、１８０度の間隔で２つの凸部１６が形成されている。そして、回転フレームに設けられた突状の回転規制ピン１７が連結フレーム１３の凸部１６に接触されることにより、回転フレーム１０の回転範囲は１８０度に規制される。それにより、旋回フレーム１１の旋回範囲は１８０度に規制され、図１で二点鎖線で示したように、旋回フレーム１１は、金型２１（可動金型４及び固定金型６）の上方を、水平方向に旋回可能となっている。
【００２３】
また、旋回フレーム１１には、その長手方向に移動可能にチェーンブロック１８を備える。チェーンブロック１８の先端にはフック１９が設けられており、当該フックを用いて、金型２１（可動金型４及び固定金型６）は、着脱されるときに吊り上げられる。
【００２４】
以上のような射出成形機１によれば、固定金型６と可動金型４とは比較的強力な力で型締されるため、これらが装着される固定ダイプレート７と移動ダイプレート５との間の型締領域、及びその近傍というのは、強固な構造を有するものである。よって、金型２１（可動金型４及び固定金型６）を吊り上げ可能な金型用吊り装置９は、型締領域の近傍に設けるのに適しており、当該金型用吊り装置９を用いて、金型２１（可動金型４及び固定金型６）を吊り上げて、移動ダイプレート５に対する可動金型４の着脱作業や固定ダイプレート７に対する固定金型６の着脱作業を容易に行うことができるから、金型の着脱作業性を向上することができる。
【００２５】
さらに、金型用吊り装置９は、型締ユニット３よりも下方に位置する支持フレーム１４に固定されていることから、射出成形機全体の低重心化を図ることが可能となり、金型用吊り装置９により金型２１（可動金型４及び固定金型６）が吊り上げ等されるときの射出成形機１の姿勢の安定性を高めることができる。
【００２６】
さらに、金型用吊り装置９は、回転フレーム１０と旋回フレーム１１とにより、全体が略逆Ｌ時型に形成されており、こうした形状により、金型２１（可動金型４及び移動金型６）を片持ち状に吊り上げることから、当該金型用吊り装置９に構成される回転フレーム１０等が邪魔になることなく、金型２１（可動金型４及び固定金型６）の着脱作業を容易に行なうことが可能となる。
【００２７】
さらに、回転フレーム１０は、連結フレーム１３に設けた軸受１２により支持されていることから、操作バー１０ａの操作より回転フレーム１０が回転されると、それに伴い旋回される旋回フレームは、スムーズに旋回させることができるため、作業性を向上することができる。その一方で、該旋回フレーム１１が勢いよく旋回してしまい、吊り上げられた金型２１（可動金型４及び固定金型６）が、周囲の部材に接触して破損等しないよう、回転規制手段である回転規制ピン１７及び凸部１６により、所望する旋回範囲を超えるところまで、不用意に旋回フレーム１１が旋回してしまうことがないよう防止し、金型２１（可動金型４及び固定金型６）の着脱作業をより容易に行なうことが可能となる。
【００２８】
以上、本実施形態の一例を詳述したが、本発明は、前記実施形態に限定されるものではなく、本発明の要旨の範囲内で種々の変形実施が可能である。本実施形態の一例においては、金型用吊り装置９が、射出成形機１の正面側に設けられていることについて説明したが、その反対側に位置する射出成形機１の背面側に設けても良い。
【符号の説明】
【００２９】
１  射出成形機
２  射出ユニット
３  型締ユニット
４  可動金型
５  移動ダイプレート
６  固定金型
７  固定ダイプレート
８  型締駆動機構
９  金型用吊り装置
１０  回転フレーム
１０ａ  操作バー
１１  旋回フレーム
１２  軸受
１３  連結フレーム
１４  支持フレーム
１５  脚部
１６  凸部（回転規制手段）
１７  回転規制ピン（回転規制手段）
１８  チェーンブロック
１９  フック
２１  金型
【図１】
2015150834.tif 000003
【図２】
2015150834.tif 000004